(57)【要約】【課題】転写ヘッドで、左右一方向に転写テープが偏って走行することによる、転写テープ端部の折れや転写テープ端部の塗膜の傷付きが防止でき、転写テープをスムーズに捻転・走行させることができる、小型の横引きタイプ塗膜転写具の提供。【解決手段】ケース内に繰出しコアと巻取りコアが回転可能に収納され、ケース端部から押圧転写部を備えた転写ヘッドが突出し、繰出しコアから転写テープが繰出され転写ヘッドの手前で捻転され、押圧転写部において被転写面に転写される塗膜と残りの基材テープとに分かれ、基材テープが巻取りコアに巻取られるようになっている横引きタイプ塗膜転写具において、転写ヘッドから遠ざかる方向へ、繰出しコアから転写テープが繰出されるようにする。【選択図】図１
2014189000.tif 000002
【特許請求の範囲】
【請求項１】
ケース内に繰出しコアと巻取りコアが回転可能に収納され、前記ケース端部から押圧転写部を備えた転写ヘッドが突出し、前記繰出しコアから転写テープが繰出され前記転写ヘッドの手前で捻転され、前記押圧転写部において被転写面に転写される塗膜と残りの基材テープとに分かれ、前記基材テープが前記巻取りコアに巻取られるようになっている横引きタイプ塗膜転写具において、
前記転写ヘッドから遠ざかる方向へ、前記繰出しコアから前記転写テープが繰出されることを特徴とする横引きタイプ塗膜転写具。
【請求項２】
前記転写ヘッドと前記巻取りコア間では、前記基材テープが捻転されないことを特徴とする請求項１に記載の横引きタイプ塗膜転写具。
【請求項３】
前記繰出しコアが、前記転写ヘッドと前記巻取りコアの間に配置されることを特徴とする、請求項１又は請求項２に記載の横引きタイプ塗膜転写具。
【発明の詳細な説明】
【技術分野】
【０００１】
本発明は、文字修正用塗膜、接着用粘着膜、装飾用塗膜等を被転写面に押圧転写するための塗膜転写具の技術分野に属し、特に、転写ヘッドにおいて転写テープがケースの表裏両面に対し平行に案内される横引きタイプの塗膜転写具に関する。
【背景技術】
【０００２】
従来の横引きタイプの塗膜転写具には、特許文献１のようなものがある。図３は、特許文献１の横引きタイプの塗膜転写具ａのカバーを一部破断した状態の上面図である。塗膜転写具ａは、ケース１内に転写テープＴが巻回された繰出しリール４と塗膜転写後の基材テープＴ１を巻取る巻取りリール５が、それぞれ繰出しコア２と巻取りコア３とを伴い回転可能に保持されてケース１内に収納されるとともに、前記繰出しコア２及び巻取りコア３が連動して回転するための連動機構６、７を備える。そして、ケース１端部から尖頭形の転写ヘッド８が突出し、繰出しコア２から転写テープＴの一端が繰出されて、ガイドピンＧＰと転写ヘッド８間の短距離で９０度捻転され、転写ヘッド８の押圧転写部９を経由して、転写ヘッド８と前記ガイドピンＧＰとは別のガイドピンＧＰ１間の短距離で、再び、９０度捻転され、巻取りコア３に巻取られる構成となっている。
【０００３】
また、従来の横引きタイプの塗膜転写具には、特許文献２のようなものもある。図４は、特許文献２の横引きタイプの塗膜転写具ｂの本体カバー２２を開けた状態の斜視図である。塗膜転写具ａが転写テープＴを交換できない使い捨てタイプのものであるのに対して、塗膜転写具ｂは、交換カセット３０と本体カセット２０に分離可能で、使い終わった交換カセット３０が交換可能な交換タイプの塗膜転写具となっている。塗膜転写具ｂの転写ヘッド８は転写ヘッド軸芯回りに回転可能に交換カセット３０に保持される構造となっている。そして、転写ヘッド８を軸芯回りに９０度回転させることにより、転写テープＴと塗膜転写後の基材テープＴ１は転写ヘッド８の両サイドで９０度捻転される構成となっている。このように、塗膜転写具ｂでも、転写テープＴは転写ヘッド８周辺の短距離で９０度捻転される構成となっている。
【０００４】
これら横引きタイプの塗膜転写具を使用すると、塗膜転写具の両面を手で把持し、肘を張ることなく机上に押付けた状態で水平方向に動かすことにより転写を行えるため、圧倒的に横書きが多くなった現代において、誤字の修正作業等を、より楽にすることができる利点がある。
【先行技術文献】
【特許文献】
【０００５】
【特許文献１】実用新案登録第２５４４０３０号公報
【特許文献２】特開２０００−２５３９２号公報
【特許文献３】特開２００５−３１９６１０号公報
【特許文献４】特開２００６−７６４９号公報
【発明の概要】
【発明が解決しようとする課題】
【０００６】
しかし、特許文献１の塗膜転写具ａ、特許文献２の塗膜転写具ｂの場合、転写テープＴは転写ヘッド付近の短距離で９０度捻転されるので、捻られた転写テープには捻られる前の状態へ復帰しようとする力が作用する。この力により、転写テープＴは進行方向に対して左右のどちらか一方に偏って走行する不具合を生じる場合があった。（以下、この不具合のことを、転写テープＴの斜行不具合と言う。）この結果、図５に示すように、転写テープＴが転写ヘッド８に設けられたガイド部に乗り上げて転写テープ端部が折れ曲がるという問題や、転写テープ端部がガイド部内面と強く接触して、転写テープ端面部分の塗膜が傷つくという問題が発生していた。なお転写テープ端部が折れ曲がると、転写された塗膜表面にすじ状の傷が残り、転写テープ端面部分の塗膜が傷つくと、転写された塗膜の端部も傷が付いたものとなる。
【０００７】
特許文献３と特許文献４では、横引きタイプにおける、転写ヘッド周辺での転写テープ又は基材テープの走行を改善する塗膜転写具が提案されている。特許文献３では、図６に示すように、転写ヘッド８と巻取りコア３の間で、基材テープＴ１が捻転されない塗膜転写具ｃが提案されている。しかしながら、塗膜転写具ｃでも、繰出しコア２と転写ヘッド８の間では、短距離間で転写テープＴが９０度捻転されている。したがって塗膜転写具ｃは、塗膜転写後の基材テープＴ１の斜行不具合は改善できるが、塗膜転写前の転写テープＴの斜行不具合対策としては十分なものではなかった。
【０００８】
特許文献４では、図７に示すように転写テープＴを９０度捻転させる際の、転写テープＴの斜行を小さくする手段として、テープガイドＴＧを追加した塗膜転写具ｄが提案されている。テープガイドＴＧは傾斜したリブであり、転写テープＴをテープガイドＴＧの傾斜面に接触させることにより、転写テープＴの斜行を小さくしようとするものである。しかしながら、塗膜転写具ｄも短距離で転写テープＴを９０度捻転させるものであるため、塗膜転写前の転写テープＴの斜行不具合対策としては十分なものではなかった。
【０００９】
転写テープＴの斜行不具合対策としては、転写テープＴを９０度捻転させる距離を長くすることが考えられる。しかしながら、従来の塗膜転写具ａ、ｂ、ｃ、及びｄにおいて、転写テープＴを９０度捻転させる距離を十分に長くしようとすると、塗膜転写具のサイズが非常に大きくなるという問題があった。
【００１０】
本発明は、上記の点に鑑み、転写ヘッドでの、転写テープの斜行不具合よる、転写テープ端部の折れや転写テープ端部の塗膜の傷付きが防止でき、転写テープをスムーズに捻転・走行させることができる小型の横引きタイプ塗膜転写具を提供することを目的とする。
【課題を解決するための手段】
【００１１】
第１発明は、ケース内に繰出しコアと巻取りコアが回転可能に収納され、前記ケース端部から押圧転写部を備えた転写ヘッドが突出し、前記繰出しコアから転写テープが繰出され前記転写ヘッドの手前で捻転され、前記押圧転写部において被転写面に転写される塗膜と残りの基材テープとに分かれ、前記基材テープが前記巻取りコアに巻取られるようになっている横引きタイプ塗膜転写具において、
前記転写ヘッドから遠ざかる方向へ、前記繰出しコアから前記転写テープが繰出されることを特徴とする横引きタイプ塗膜転写具である。
【００１２】
第２発明は、前記転写ヘッドと前記巻取りコア間では、前記基材テープが捻転されないことを特徴とする第１発明に記載の横引きタイプ塗膜転写具である。
【００１３】
第３発明は、前記繰出しコアが、前記転写ヘッドと前記巻取りコアの間に配置されることを特徴とする、第１発明又は第２発明に記載の横引きタイプ塗膜転写具である。
【発明の効果】
【００１４】
本発明の塗膜転写具では、転写ヘッドから遠ざかる方向へ、繰出しコアから転写テープが繰出されるので、転写テープを捻転させた後に、長い距離に渡って転写テープを直進させることができる。このため、転写ヘッド部での塗膜転写前の転写テープの斜行不具合を防止することができる。よって、塗膜転写前の転写テープが転写ヘッドに設けられたガイド部に乗り上げて転写テープ端部が折れ曲がるという問題や、転写テープ端部が前記ガイド部内面と強く接触して、転写テープ端面部分の塗膜が傷つくという問題を防止することができる。また、本発明の塗膜転写具では、転写ヘッドから遠ざかった位置の空間を利用して塗膜テープを捻転するため、小さな空間で転写テープを捻転することができる。このため、小型の塗膜転写具を提供することができる。
【図面の簡単な説明】
【００１５】
【図１】本発明の第１実施形態の塗膜転写具Ａ
【図２】本発明の第２実施形態の塗膜転写具Ｂ
【図３】従来の塗膜転写具ａ
【図４】従来の塗膜転写具ｂ
【図５】転写ヘッドで転写テープが転写ヘッドのガイド部に乗り上げた状態
【図６】従来の塗膜転写具ｃ
【図７】従来の塗膜転写具ｄ
【発明を実施するための形態】
【００１６】
図１に、本発明の第１実施形態の塗膜転写具Ａを示す。図１（ａ）は本体カバーを取外した状態の正面図である。図１（ｂ）は、図１（ａ）のｍ−ｍ断面図である。図１（ｃ）は、塗膜転写具Ａの本体カバーを取り外した状態の本体カセットである。図１（ｄ）は塗膜転写具Ａの交換カセットの交換カバー側から見た外観図である。
【００１７】
この塗膜転写具Ａが使用されると、転写ヘッド８から遠ざかる方向に、繰出しリール４から転写テープＴが繰出される。その後、転写テープＴは、３個の捻転手段１１、１２、及び１３によって、９０度捻転されるとともに、転写ヘッド方向へ反転される。転写ヘッド方向へ反転した転写テープＴは、捻転手段１３と転写ヘッド間の長い距離を捻転されずに直進するので、転写ヘッド部に到達した塗膜転写前の転写テープは、捻転の影響がほとんど無い。このため、転写ヘッド部分で、前記捻転の影響により、転写テープＴの斜行不具合が発生することはない。また、図１に示すとおり、３個の捻転手段は、塗膜転写具の外径形状に沿って、立体的に配置することができる。このため、小さな空間で、転写テープＴを９０度捻転することができ、塗膜転写具を小型のものとすることができる。
【００１８】
塗膜転写具Ａは、本体カセット２０と交換カセット３０で構成されている。本体カセット２０は本体ケース２１、本体カバー２２、繰出しプーリー１４、巻取りプーリー１６、及び、丸ベルト１５で構成されている。本体カバー２２はヒンジ２３を介して、本体ケース２１に対して、開閉可能に接続されている。本体ケース２１には、繰出しプーリー１４と巻取りプーリー１６が回転可能に保持されており、両プーリー１４，１６間には丸ベルト１５が掛け回され、両プーリー１４，１６は丸ベルト１５を介して連動可能となっている。また、繰出しプーリー１４には、繰出しコア２に一体に設けられた平歯車と係合する平歯車が一体に設けられており、巻取りプーリー１６には、巻取りコア３に一体に設けられた傘歯車と係合する傘歯車が一体に設けられている。
【００１９】
交換カセット３０は交換ケース３１、交換カバー３２、転写ヘッド８、繰出しコア２、巻取りコア３、捻転手段１２（ローラー）、及び、転写テープＴで構成されている、繰出しコア２と巻取りコア３は交換ケース３１と交換カバー３２間に回転可能に保持されている。繰出しコア２から繰出された転写テープＴは、捻転手段１１，１２，に接触し、さらに開口部３３から交換カセットの外部に露出した後に捻転手段１３に接触することにより、９０度捻転するとともに、転写ヘッド８方向へ反転する。捻転手段１２には、交換ケース３１に回転可能に保持されたローラーを使用しているが、交換ケース３１に一体に設けられた固定ピンとしてもよい。また、捻転手段１１、１３はそれぞれ交換カバー３２、交換ケース３１に一体に設けられた固定ピンとしているが、それぞれに回転可能に保持したローラーを用いてもよい。転写テープの繰出し抵抗低減という点では、捻転手段１１、１２，１３ともに、回転可能なローラーを用いることが好ましい。また、転写ヘッド８で塗膜転写された残りの基材テープＴ１は、開口部３４から、交換カセット内部に入り、巻取りコア３に巻取られるようになっている。
【００２０】
交換カセット２０を本体カセット３０に装着すると、繰出しコア２と繰出しプーリー１４に設けられた平歯車が互いに係合し、巻取りコア３と巻取りプーリー１６に設けられた傘歯車が互いに係合する。これによって、両プーリー１４，１６と丸ベルト１５を介して、繰出しコア２の回転が巻取りコア３へ伝達可能となる。（以下では、繰出しコア２から巻取りコア３までの駆動を伝達する機構を駆動伝達機構４０と言う。）塗膜転写具Ａが使用され、転写テープが転写ヘッド上を走行すると、繰出しコア２から転写テープＴが繰出され、繰出しコア２が回転する。この回転が、前記駆動伝達機構４０によって、巻取りコア３に伝えられ、転写ヘッド８で塗膜が転写された残りの基材テープＴ１が巻取りコア３に巻き取られる。
【００２１】
塗膜転写具Ａでは、塗膜の転写時に基材テープＴ１の巻取り長さが転写テープＴの繰出し長さより長くなるように両コア２，３を回転させ、転写テープＴに適度な張力をかけることによって、転写テープＴが弛まないようにしている。転写テープの使用終期には、繰出コアに巻かれた転写テープのパンケーキの外径が小さくなるので、転写テープに大きな張力がかかるようになる。その場合には駆動伝達機構４０内部にスリップが生じることによって、転写テープＴにかけられる張力を逃がしている。
【００２２】
本発明の塗膜転写具の駆動伝達機構４０は、上記の機構に限定されるものではなく、転写テープを繰出しリールから繰出し、弛むことなく走行させた後、巻取りリールに巻き取ることができるものであればよい。
【００２３】
図２に、本発明の第２実施形態の塗膜転写具Ｂを示す。図２（ａ）は本体カバーを取外した状態の正面図である。図２（ｂ）は、図２（ａ）のｎ−ｎ断面図である。図２（ｃ）は、塗膜転写具Ｂの本体カバーを取り外した状態の本体カセットである。図２（ｄ）は塗膜転写具Ｂの交換カセットの交換カバー側から見た外観図である。
【００２４】
塗膜転写具Ａでは、転写ヘッド８と繰出しコア２の間に、巻取りコア３が設けられていたが、塗膜転写具Ｂでは、転写ヘッド８と巻取りコア３の間に、繰出しコア２を設けている。塗膜転写具Ｂでは、繰出しコア２と巻取りコア３の位置が塗膜転写具Ａとは逆になっているため、駆動伝達機構４０の他の部品も逆の順番に並んでいる。また、塗膜転写具Ｂでは、巻取りコア３の周囲の空間に捻転手段１１，１２，１３を配置することができるので、塗膜転写具Ｂは、塗膜転写具Ａに比べて、塗膜転写具全体をさらに小型化することができる。塗膜転写具Ｂは、駆動伝達機構４０の各部品の配置と、捻転手段１１，１２，１３の配置を変更することによって塗膜転写具全体を小型化した以外は、塗膜転写具Ａと同様である。
【００２５】
塗膜転写具Ａ、Ｂともに、転写ヘッド８と巻取りコア３の間では、基材テープＴ１が捻転しない構成となっている。しかしながら、本発明の塗膜転写具は、塗膜転写具ａのように、転写ヘッド８と巻取りコア３間で基材テープＴ１が捻転する構成であってもよい。ただし、基材テープＴ１の斜行不具合の低減の効果としては、転写ヘッド８と巻取りコア３の間では、基材テープＴ１が捻転しない方が好ましい。
【００２６】
図１，２に示す塗膜転写具Ａ，Ｂでは、転写ヘッドを塗膜転写具の中央付近に設けている。しかしながら、本発明の塗膜転写具は、塗膜転写具ａのように、塗膜転写具の端部に転写ヘッドを設けてもよい。
【００２７】
さらに、塗膜転写具Ａ，Ｂでは、交換カセット３０と本体カセット２０からなる、交換タイプの塗膜転写具となっている。しかしながら、本発明の塗膜転写具は、塗膜転写具ａのような使い捨てタイプの塗膜転写具であってもよい。
【符号の説明】
【００２８】
Ａ，Ｂ，ａ，ｂ、ｃ、ｄ：塗膜転写具
Ｔ：転写テープ
Ｔ１：基材テープ
ＴＧ：テープガイド
ＧＰ、ＧＰ１：ガイドピン
１：ケース
２：繰出しコア
３：巻取りコア
４：繰出しリール
５：巻取りリール
６，７：連動機構
８：転写ヘッド
９：押圧転写部
１０：ガイドリブ
１１，１２，１３:捻転手段
１４：繰出しプーリー
１５：丸ベルト
１６：巻取りプーリー
２０：本体カセット
２１：本体ケース
２２：本体カバー
２３：ヒンジ
３０：交換カセット
３１：交換ケース
３２：交換カバー
３３、３４開口部
４０：駆動伝達機構
【図１】
2014189000.tif 000003
【図２】
2014189000.tif 000004
【図３】
2014189000.tif 000005
【図４】
2014189000.tif 000006
【図５】
2014189000.tif 000007
【図６】
2014189000.tif 000008
【図７】
2014189000.tif 000009